(57)【要約】【課題】被装着物のデザインの一部として利用可能なスライドファスナの提供を目的とする。【解決手段】スライドファスナ１は、帯状のベース布２１，３１へ所定間隔をおいて直線状に配設された複数のエレメント２２，３２からなる左右対称の右エレメント列２０及び左エレメント列３０と、右エレメント列２０及び左エレメント列３０に跨がって、エレメント２２，３２の配設方向へ移動可能なスライダ４とを含むものであって、エレメント２２，３２は、ベース布２１，３１の裏側であって、他方のエレメント列側の端縁に配設され、ベース布２１，３１は、表側に所定の図形Ｄが、印刷及び／又は刺繍により複数施されている。また、ベース布２１，３１は、エレメント２２，３２が配設されていない側の端縁が、ベース布２１，３１の表側に施された図形Ｄの輪郭に準じて、成形される。【選択図】図１
0003230643.tif 000002
【実用新案登録請求の範囲】
【請求項１】
帯状のベース布へ所定間隔をおいて直線状に配設された複数のエレメントからなる左右対称のエレメント列と、表側に引き手を有し、左右の前記エレメント列に跨がって、前記エレメントの配設方向へ移動可能なスライダとを含み、前記スライダの一方側への移動により前記エレメント列が互いに前記エレメントを交互に噛合させて結合し、前記スライダの他方側への移動により、左右の前記エレメント列が互いの前記エレメントの噛合を解除させて離間するスライドファスナであって、
前記エレメントは、前記ベース布の裏側であって、他方のエレメント列と対向する端縁に配設され、
前記ベース布は、表側に所定の図形及び／又はキャラクタが、印刷及び／又は刺繍により施されていることを特徴とするスライドファスナ。
【請求項２】
前記ベース布は、前記エレメントが配設されていない側の端縁が、前記ベース布の表側に施された前記所定の図形及び／又はキャラクタの輪郭に準じて、成形されることを特徴とする請求項１に記載のスライドファスナ。
【請求項３】
前記所定の図形及び／又はキャラクタが、立体的に施されることを特徴とする請求項１又は２に記載のスライドファスナ。
【考案の詳細な説明】
【技術分野】
【０００１】
本考案は、衣服やバッグ等に設けられ、スライダの移動によって開閉を行うスライドファスナに関する。
【背景技術】
【０００２】
一般に、スライドファスナとしては、スライダの移動によって二列に分かれたエレメントの噛合または噛合の解除を行う構造のものが広く利用されている。また、スライドファスナの仲には、スライドファスナを取り付けた衣服等の美観を保持する目的で、エレメントが露出しないコンシールファスナと呼ばれるものもある（特許文献１）。
【先行技術文献】
【特許文献】
【０００３】
【特許文献１】実用新案登録第３０５４６１０号公報
【考案の概要】
【考案が解決しようとする課題】
【０００４】
特許文献１で開示されるようなコンシールファスナは、外部からエレメントが見えないため、衣服の美観を保持できる一方、ファスナ自体をデザインの一部として利用することは難しかった。
【０００５】
そこで本考案では、被装着物のデザインの一部として利用可能なスライドファスナの提供を目的とする。
【課題を解決するための手段】
【０００６】
上記目的を達成するために、請求項１に記載の考案は、帯状のベース布へ所定間隔をおいて直線状に配設された複数のエレメントからなる左右対称のエレメント列と、表側に引き手を有し、左右のエレメント列に跨がって、エレメントの配設方向へ移動可能なスライダとを含み、スライダの一方側への移動によりエレメント列が互いにエレメントを交互に噛合させて結合し、スライダの他方側への移動により、左右のエレメント列が互いのエレメントの噛合を解除させて離間するスライドファスナであって、エレメントは、ベース布の裏側であって、他方のエレメント列側の端縁に配設され、ベース布は、表側に所定の図形及び／又はキャラクタが、印刷及び／又は刺繍により施されていることを特徴とする。
請求項２に記載の考案は、上記構成において、ベース布は、エレメントが配設されていない側の端縁が、ベース布の表側に施された所定の図形及び／又はキャラクタの輪郭に準じて、成形されることを特徴とする。
請求項３に記載の考案は、上記構成において、所定の図形及び／又はキャラクタが、立体的に施されることを特徴とする。
【考案の効果】
【０００７】
請求項１に記載の考案によれば、ベース布の表側に図形等を施した際、エレメントが表側に露出しないため、スライドファスナ自体が高い意匠性を有し、スライドファスナ自体を被装着物のデザインの一部として利用できる。
請求項２に記載の考案によれば、上記効果に加え、不要な余白部分となるベース布が無くなるため、被装着物の意匠性が向上する。
請求項３に記載の考案によれば、上記効果に加え、意匠性がより向上する。
【図面の簡単な説明】
【０００８】
【図１】本考案のスライドファスナの表面を示す説明図であり、（ａ）は、スライドファスナを閉じた状態、（ｂ）は開いた状態を示す。
【図２】本考案のスライドファスナの裏面を示す説明図であり、（ａ）は、スライドファスナを閉じた状態、（ｂ）は開いた状態を示す。
【図３】本考案のスライドファスナの使用例を示す参考斜視図である。
【図４】変形例のスライドファスナの表面を示す説明図である。
【考案を実施するための形態】
【０００９】
以下、本考案の実施例の形態を図面に基づいて説明する。
図１は、本考案のスライドファスナの表面を示す説明図であり、（ａ）は、スライドファスナを閉じた状態、（ｂ）は開いた状態を示す。図２は、本考案のスライドファスナの裏面を示す説明図であり、（ａ）は、スライドファスナを閉じた状態、（ｂ）は開いた状態を示す。図３は、本考案のスライドファスナの使用例を示す参考斜視図である。
スライドファスナ１は、図１（ａ），（ｂ）に示すように、右エレメント列２０と、左エレメント列３０と、スライダ４とを備える。スライダ４は、後述するエレメント２２，３２の配設方向に移動可能であり、表側に引き手５が設けられている。
【００１０】
右エレメント列２０は、図２（ａ），（ｂ）に示すように、帯状のベース布２１の裏側であって、左エレメント列３０側の端縁に、複数のエレメント２２が所定の間隔をおいて直線状に配設されている。左エレメント列３０は、帯状のベース布３１の裏側であって、右エレメント列２０側の端縁に、複数のエレメント３２が所定の間隔をおいて直線状に配設されている。このようにベース布２１，３１の裏側端縁にエレメント２２，３２を配設することで、右エレメント列２０と左エレメント列３０とを結合した際、エレメント２２，３２がベース布２１，３１の表側に露出することがない。
スライドファスナ１は、スライダ４を一方側へ移動させることで、図１（ａ），図２（ａ）に示すように、エレメント列２０，３０が互いにエレメント２２，３２を交互に噛合させて結合する。また、スライダ４を他方側へ移動させることで、図１（ｂ），図２（ｂ）に示すように、右エレメント列２０及び左エレメント列３０が互いのエレメント２２，３２の噛合を解除させて離間する。  
ベース布２１，３１の表側には、既存の手法を用いた印刷又は刺繍の少なくとも何れかによって、所定の図形Ｄが、右エレメント列２０と左エレメント列３０とに跨がるように複数施されている。この時、エレメント２２，３２が表側に露出しないため、右エレメント列２０と左エレメント列３０に跨がる図形であっても、高い意匠性を保持することができる。
また、ベース布２１，３１のエレメント２２，３２が設けられていない側の端縁は、図形Ｄの輪郭に準じて、エレメント２２，３２が表側に露出しない範囲で、切り抜き等の既存の手法により成形されている。
【００１１】
続いて、本考案のスライドファスナの被装着物への取付方法について説明する。
従来、スライドファスナは、ベース布を被装着物の構成部材で覆う、または、被装着物の構成部材の裏面に取り付ける等して、外部にベース布が露出しないように取り付けられる。ベース布が露出することで、被装着物の美観を損なう恐れがあるためである。
一方、スライドファスナ１は、図３に示すように、例えば、被装着物Ｐの開口部Ｐａに取り付ける際、少なくとも図形Ｄが施されている範囲のベース布２１，３１を被装着物Ｐの表側に取り付ける。これにより、図形Ｄが被装着物Ｐの外部から視認可能となることから、スライドファスナ１を被装着物Ｐのデザインの一部として利用できる。また、図形Ｄの輪郭に準じてベース布２１，３１を成形したことで、図形Ｄは不要な余白部分を持たないため、被装着物Ｐの意匠性を向上させることができる。
【００１２】
上記形態のスライドファスナ１は、帯状のベース布２１，３１へ所定間隔をおいて直線状に配設された複数のエレメント２２，３２からなる左右対称の右エレメント列２０及び左エレメント列３０と、表側に引き手５を有し、右エレメント列２０及び左エレメント列３０に跨がって、エレメント２２，３２の配設方向へ移動可能なスライダ４とを含み、スライダ４の一方側への移動により右エレメント列２０及び左エレメント列３０が互いにエレメント２２，３２を交互に噛合させて結合し、スライダ４の他方側への移動により、右エレメント列２０及び左エレメント列３０が互いのエレメント２２，３２の噛合を解除させて離間するものであって、エレメント２２，３２は、ベース布２１，３１の裏側であって、他方のエレメント列側の端縁に配設され、ベース布２１，３１は、表側に所定の図形Ｄが、印刷及び／又は刺繍により複数施されている。
このように構成されるスライドファスナ１は、ベース布２１，３１の表側に図形Ｄを施した際、エレメント２２，３２が表側に露出しないため、スライドファスナ１自体が高い意匠性を有し、スライドファスナ１自体を被装着物Ｐのデザインの一部として利用できる。
【００１３】
また、ベース布２１，３１は、エレメント２２，３２が配設されていない側の端縁が、ベース布２１，３１の表側に施された図形Ｄの輪郭に準じて、成形される。
よって、不要な余白部分となるベース布２１，３１が無くなるため、被装着物Ｐの意匠性が向上する。
【００１４】
以上は、本発明を図示例に基づいて説明したものであり、その技術範囲はこれに限定されるものではない。例えば、ベース布に施される図形は、単なる図形に限定されず、所定のキャラクター等でも良い。
また、ベース布に施される図形は、右エレメント列と左エレメント列とに跨がって施されるものに限定されず、図４に変形例として示すように、右エレメント列２０及び左エレメント列３０のそれぞれに図形Ｄａ，Ｄｂが施されても良いし、右エレメント列２０と左エレメント列３０とに跨がる図形と跨がらない図形とが混在していても良い。さらに、図形は１つであっても良く、左右のエレメント列の何れかのみに施されていても良い。
また、ベース布に施される図形は、シリコンゴム等を素材としたインクを用いて、立体的に施されても良い。さらに、立体的な図形は、刺繍により施されていても良い。
また、ベース布の端縁の成形は、完全に図形の輪郭に沿う必要はなく、ベース布に施される図形の輪郭に準じていれば、適宜縫い代等に必要な部分を残す等してもよい。
また、エレメント、スライダ、引き手の形状は、スライドファスナとしての機能を損なわないものであれば、任意に設定可能である。
また、スライドファスナの全長は、必要に応じて調整可能である。
また、被装着物は、鞄のような服飾小物に限定されず、衣服や自動車の内装等、任意の被装着物を設定可能である。
【符号の説明】
【００１５】
１・・スライドファスナ、２０・・右エレメント列、２１・・ベース布、２２・・エレメント、３０・・左エレメント列、３１・・ベース布、３２・・エレメント、４・・スライダ、５・・引き手。
【図１】
0003230643.tif 000003
【図２】
0003230643.tif 000004
【図３】
0003230643.tif 000005
【図４】
0003230643.tif 000006